(57)【要約】【課題】三方が壁に囲まれた空間等に容易に戸棚を施工でき、施工する際の調整が容易であり、しかも、部品点数の少ない戸棚の施工方法を提供する【解決手段】互いに対向する左右の壁面１，１に、棚板２の左右両側部を取付ける棚板取付工程と、左右の壁面１，１それぞれに、扉６を取付けるための上下に長尺な扉取付部材７を固定する扉取付部材固定工程と、左右の壁面１，１それぞれに固定された扉取付部材７，７に、扉６，６を開閉可能に取付ける扉取付工程とを含むので、戸棚が大きくなっても、棚板２、扉取付部材７、扉６をそれぞれ取付けるだけでよく、戸棚を容易に施工できる。【選択図】図１
2005127090.tif 000002
【特許請求の範囲】
【請求項１】
平面視において略コ字状をなす壁面の内側に戸棚を施工する戸棚の施工方法であって、
互いに対向する左右の壁面に、棚板の左右両側部を取付ける棚板取付工程と、
前記左右の壁面それぞれに、扉を取付けるための上下に長尺な扉取付部材を固定する扉取付部材固定工程と、
前記左右の壁面それぞれに固定された扉取付部材に、扉を開閉可能に取付ける扉取付工程とを含むことを特徴とする戸棚の施工方法。
【請求項２】
請求項１に記載の戸棚の施工方法において、
前記棚板取付工程の後に、前記扉取付部材固定工程を行い、この扉取付部材固定工程では、前記扉取付部材を、その下端部が前記棚板取付工程によって取付けられた棚板の上面に当接するようにして、左右の壁面それぞれに固定することを特徴とする戸棚の施工方法。
【請求項３】
請求項１または２に記載の戸棚の施工方法において、
前記扉取付工程で、扉を扉取付部材に蝶番を介して取付けるに際し、扉と扉取付部材のうちの一方に軸部を備えた一方の蝶番片を取付けるとともに、他方に前記軸部が回転自在に挿入される軸受筒部を備えた他方の蝶番片を取付けておき、
前記一方の蝶番片の軸部を他方の蝶番片の軸受筒部に挿入することによって、扉を扉取付部材に蝶番を介して取付けるとともに、前記軸部に調整筒を外挿して扉の上下方向の位置を調整することを特徴とする戸棚の施工方法。
【請求項４】
請求項１〜３のいずれか一項に記載の戸棚の施工方法において、
扉取付工程では、扉を、その下端部が棚板より下方に位置するようにして扉取付部材に取付けることを特徴とする戸棚の施工方法。
【請求項５】
請求項１〜４のいずれか一項に記載の戸棚の施工方法において、
棚板取付工程では、互いに対向する左右の壁面それぞれに、受材を壁面に沿って水平に取付け、この受材に、前記棚板の左右両側面にそれぞれ形成された溝をスライドさせながら嵌め込むことによって、互いに対向する左右の壁面に、棚板の左右両側部を取付けることを特徴とする戸棚の施工方法。
【発明の詳細な説明】
【技術分野】
【０００１】
本発明は、戸棚の施工方法に関する。
【背景技術】
【０００２】
廊下の突き当たりや、システムキッチンの流し台の上方空間等の三方が壁に囲まれた空間に吊戸棚等の戸棚を設ける場合がある。この戸棚の構造の一例として、特許文献１に記載のものが知られている。この戸棚は、箱状に形成されており、その前面開口部を開閉するための扉が側板にスライド丁番等によって開閉自在に取付けられたものである。
そして、このような箱状に形成された吊戸棚は、箱体の前面開口部を正面とし、たとえばシステムキッチンの一部として台所の壁面へ設置・固定される。
【特許文献１】特開平１１−２４４０６９号公報
【発明の開示】
【発明が解決しようとする課題】
【０００３】
上述したような三方が壁に囲まれた空間に、箱状の戸棚を設けるには、戸棚の予め製造しておきこれを前記壁に固定するため、戸棚が大きくなると、戸棚を所定の位置で仮支持しておき、その後、戸棚を壁に固定するなど、その設置作業に手間がかかるとともに、作業者に負担を強いることになる。
また、戸棚を三方が壁に囲まれた空間に設ける場合に、戸棚の製造誤差や壁位置等の建築誤差によって、戸棚がきっちりと納まらない場合があり、その場合、戸棚が予め箱状に形成されているため補修に手間がかかることになる。
さらに、上記のような箱状に形成された（吊）戸棚は、棚板以外にも、この棚板を支持する両側板や、天板、底板等の部材が必要であり、部品点数が多いという問題もあった。
【０００４】
本発明は上記事情に鑑みてなされたもので、三方が壁に囲まれた空間等に容易に戸棚を施工でき、施工する際の調整が容易であり、しかも、部品点数の少ない戸棚の施工方法を提供することを課題としている。
【課題を解決するための手段】
【０００５】
上記課題を解決するために、請求項１に記載の発明は、例えば図１に示すように、平面視において略コ字状をなす壁面の内側に戸棚を施工する戸棚の施工方法であって、
互いに対向する左右の壁面１，１に、棚板２の左右両側部を取付ける棚板取付工程（図１（ａ））と、
前記左右の壁面１，１それぞれに、扉６を取付けるための上下に長尺な扉取付部材７を固定する扉取付部材固定工程（図１（ｂ））と、
前記左右の壁面１，１それぞれに固定された扉取付部材７，７に、扉６，６を開閉可能に取付ける扉取付工程（図１（ｃ））とを含むことを特徴とする。
【０００６】
ここで、棚板取付工程（図１（ａ））と扉取付部固定工程（図１（ｂ））とは、どちらの工程を先に行ってもよい。また、扉取付部材７に、扉６を開閉可能に取付けるには、例えば、各種蝶番１０等によって取付ければよい。
【０００７】
請求項１に記載の発明によれば、棚板取付工程では、互いに対向する左右の壁面１，１に、棚板２の左右両側部を取付け、扉取付部材固定工程では、左右の壁面１，１それぞれに、扉６，６を取付けるための上下に長尺な扉取付部材７，７を固定し、扉取付工程では、左右の壁面１，１それぞれに固定された扉取付部材７，７に、扉６，６を開閉可能に取付けるので、戸棚が大きくなっても、棚板２、扉取付部材７、扉６をそれぞれ取付けるだけでよい。したがって、従来のように戸棚を所定の位置で仮支持しておき、その後、戸棚を壁に固定するなどといった作業が不要となるので、作業者に負担強いることなく、戸棚を容易に施工できる。
また、戸棚の施工の際には、棚板取付工程において棚板２の取付位置（上下や奥行き方向の取付位置）を容易に調整でき、扉取付部材固定工程において扉取付部材７の固定位置（上下や奥行き方向の固定位置）を容易に調整でき、この取付部材７に扉６を取付けるので、戸棚を施工する際の調整が容易であり、従来のように、戸棚の製造誤差や壁位置等の建築誤差によって、戸棚がきっちりと納まらないといった事態が生じることがない。
さらに、棚板２、扉取付部材７、扉６といった３種類の部品で戸棚を施工できるので、部品点数が従来に比して少なくなる。
【０００８】
請求項２に記載の発明は、請求項１に記載の戸棚の施工方法において、
前記棚板取付工程（図１（ａ））の後に、前記扉取付部材固定工程（図１（ｂ））を行い、この扉取付部材固定工程（図１（ｂ））では、前記扉取付部材７，７を、その下端部が前記棚板取付工程（図１（ａ））によって取付けられた棚板２の上面に当接するようにして、左右の壁面１，１それぞれに固定することを特徴とする。
【０００９】
請求項２に記載の発明によれば、棚板取付工程の後に行われる扉取付部材固定工程で、扉取付部材７，７を、その下端部が棚板２の上面に当接するようにして、左右の壁面１，１それぞれに固定するので、扉取付部材７，７の上下方向の位置決めを容易かつ確実に行うことができる。
【００１０】
請求項３に記載の発明は、例えば図４〜図６に示すように、請求項１または２に記載の戸棚の施工方法において、
前記扉取付工程で、扉６を扉取付部材７に蝶番１０を介して取付けるに際し、扉６と扉取付部材７のうちの一方に軸部１０ｃを備えた一方の蝶番片１０ａを取付けるとともに、他方に前記軸部１０ｃが回転自在に挿入される軸受筒部１０ｄを備えた他方の蝶番片１０ｂを取付けておき、
前記一方の蝶番片１０ａの軸部１０ｃを他方の蝶番片１０ｂの軸受筒部１０ｄに挿入することによって、扉６を扉取付部材７に蝶番１０を介して取付けるとともに、前記軸部１０ｃに調整筒１１を外挿して扉６の上下方向の位置を調整することを特徴とする。
【００１１】
ここで、前記調整筒１１の軸方向の長さの調整は、例えば、比較的長い調整筒を現場で所定長さに切断することによって調整したり、軸方向の長さが短い調整筒を複数用意しておき、この調整筒の個数によって調整する。
【００１２】
請求項３に記載の発明によれば、扉取付工程で、扉６を扉取付部材７に蝶番１０を介して取付けるに際し、一方の蝶番片１０ａの軸部１０ｃを他方の蝶番片１０ｂの軸受筒部１０ｄに挿入することによって、扉６を扉取付部材７に蝶番１０を介して取付けるとともに、軸部１０ｃに調整筒１１を外挿して扉６の上下方向の位置を調整するので、扉６の上下方向の位置を、棚板２の位置や、棚板２の上方に位置する壁面の位置等に合せて容易に調整できる。
【００１３】
請求項４に記載の発明は、例えば図８に示すように、請求項１〜３のいずれか一項に記載の戸棚の施工方法において、
扉取付工程では、扉６を、その下端部が棚板２より下方に位置するようにして扉取付部材７に取付けることを特徴とする。
【００１４】
請求項４に記載の発明では、扉６を、その下端部が棚板２より下方に位置するようにして扉取付部材７に取付けるので、扉６を閉じた状態では、この扉６によって棚板２の前端面が覆われるので、外観がシンプルなものとなる。
また、扉６の下端部が棚板２より下方に位置するので、扉６に取手を取付けなくても、扉６の下端部を把持して該扉６を容易に開閉できる。
【００１５】
請求項５に記載の発明は、例えば図１に示すように、請求項１〜４のいずれか一項に記載の戸棚の施工方法において、
棚板取付工程（図１（ａ））では、互いに対向する左右の壁面１，１それぞれに、受材５，５を壁面１，１に沿って水平に取付け、この受材５，５に、前記棚板２の左右両側面にそれぞれ形成された溝４，４をスライドさせながら嵌め込むことによって、互いに対向する左右の壁面１，１に、棚板２の左右両側部を取付けることを特徴とする。
【００１６】
請求項５に記載の発明によれば、左右両壁面１，１に取付けられた受材５，５に、棚板２の左右両側面にそれぞれ形成された溝４，４をスライドさせながら嵌め込むことによって、互いに対向する左右の壁面１，１に、棚板２の左右両側部を取付けるので、左右の壁面１，１間に容易に棚板２を設けることができ、また、受材５，５の上下の位置を調整することによって、棚板２の上下の位置を容易に調整できる。
【発明の効果】
【００１７】
本発明によれば、棚板取付工程、扉取付部材固定工程、扉取付工程の３つの工程を備えているので、戸棚が大きくなっても、棚板、扉取付部材、扉をそれぞれ取付けるだけで、容易に戸棚を施工できる。
また、棚板取付工程において棚板の取付位置を容易に調整でき、扉取付部材固定工程において扉取付部材の固定位置を容易に調整できるので、戸棚を施工する際の調整が容易でありる。
さらに、棚板、扉取付部材、扉といった３種類の部品で戸棚を施工できるので、部品点数が従来に比して少なくなる。
また、扉取付部材を、その下端部が棚板の上面に当接するようにして、左右の壁面それぞれに固定することによって、扉取付部材の上下方向の位置決めを容易かつ確実に行うことができる。
また、扉を扉取付部材に取付ける蝶番の軸部に調整筒を外挿して扉の上下方向の位置を調整するので、扉の上下方向の位置を、棚板の位置や、棚板の上方に位置する壁面の位置等に合せて容易に調整できる。
加えて、扉を、その下端部が棚板より下方に位置するようにして扉取付部材に取付けることによって、この扉によって棚板の前端面が覆われるので、外観がシンプルなものとなり、また、扉の下端部が棚板より下方に位置するので、扉に取手を取付けなくても、扉の下端部を把持して該扉を容易に開閉できる。
さらに、左右両壁面に取付けられた受材に、棚板の左右両側部の溝を嵌め込むことによって、左右の壁面間に容易に棚板を設けることができ、また、受材の上下の位置を調整することによって、棚板の上下の位置を容易に調整できる。
【発明を実施するための最良の形態】
【００１８】
以下、図面を参照して、本発明の実施の形態について説明する。
本発明に係る戸棚の施工方法によって施工される戸棚は、例えば住宅の廊下の突き当たりに施工されるものである。
この戸棚の施工方法は、図１（ａ）〜図１（ｃ）に示すように、棚板取付工程、扉取付部材固定工程、扉取付工程の３つの工程を備えている。
【００１９】
図１（ａ）に示す棚板取付工程は、互いに対向する左右の壁面１，１に、棚板２の左右両側部を取付ける工程である。壁面１，１は廊下の両側にある壁面の一部であり、これら壁面１，１間には、壁面３がある。この壁面３は廊下の突き当たりにある壁面である。したがって、これら壁面１，１，３によって、平面視において略コ字状をなす壁面が構成され、この壁面の内側に棚板２を設ける。
【００２０】
棚板２は、図２および図３に示すように、上下一対の上板２ａ、下板２ｂと、これら上板２ａと下板２ｂとの間に設けられた芯材２ｃ〜２ｆとによって構成されている。上下の板２ａ，２ｂは長方形状の板であり、同じ大きさものである。
芯材２ｃはその長さが上下の板２ａ，２ｂの長辺の長さと等しいものであり、上下の板２ａ，２ｂの一方の長辺に沿って、該板２ａ，２ｂの側端面と面一に設けられている。芯材２ｄ，２ｅは同じ長さのものであり、その一方の端面は芯材２ｃに当接され、他方の端面は上下の板２ａ，２ｂの他方の長辺に沿う側端面と面一となるように配置されている。また、芯材２ｅ，２ｆは、それぞれ、上下の板２ａ，２ｂの短辺から内側に所定距離だけ離して互いに平行に設けられている。芯材２ｆは、上下の板２ａ，２ｂの他方の長辺に沿って、該板２ａ，２ｂの側端面と面一に設けられている。また、芯材２ｆの一方の端面は芯材２ｄに当接しており、他方の端面は芯材２ｅに当接している。
そして、前記芯材２ｃ〜２ｆは、上下一対の上板２ａと下板２ｂとに挟まれた状態でこれら板２ａ，２ｂに接着剤等によって固定され、これによって、棚板２には、図３に示すように、その左右両側端面に、溝４，４が形成されている。
また、棚板２の下面の、長手方向中央部でかつ長辺近傍には、磁石を備えたマグネットキャッチＭが取付けられている。
【００２１】
上記のようにして製造された棚板２は、図１（ａ）に示すように、以下のようにして取付けられる。
すなわちまず、互いに対向する左右の壁面１，１それぞれに、受材５，５を壁面１，１に沿って水平に固定する。この受材５は、棚板２の溝４に嵌り込むように、断面形状を溝４の断面形状とほぼ等しくしたものであり、その長さは溝４の長さと等しいか若干短くなっている。
そして、受材５，５は互いに平行にかつ、高さを等しくして壁面１，１に接着剤やビス止め等によって取付ける。
次に、受材５，５に棚板２の左右両側面にそれぞれ形成された溝４，４をスライドさせながら嵌め込むことによって、互いに対向する左右の壁面１，１に、棚板２の左右両側部を取付ける。
【００２２】
このように、受材５，５に、溝４，４をスライドさせながら嵌め込むことによって、互いに対向する左右の壁面１，１に、棚板２の左右両側部を取付けるので、左右の壁面１，１間に容易に棚板２を設けることができる。
また、受材５，５の上下の位置を調整することによって、棚板２の上下の位置も容易に調整できる。
なお、棚板２の上方に別の棚板を設けてもよい。この場合も、左右の壁面１，１に受材５，５を取付けておき、この受材５，５に棚板の両側端面に形成された溝を嵌め込めばよい。
【００２３】
上記のようにして、棚板取付工程が終了したら、図１（ｂ）に示すように、扉取付部材固定工程に移行する。この扉取付部材固定工程では、左右の壁面１，１それぞれに、扉６，６を取付けるための上下に長尺な扉取付部材７，７を固定する。
扉取付部材７は、図４に示すように、上下に長尺な固定部材７ａと、この固定部材７ａに設けられた取付部材７ｂとから構成されている。固定部材７ａは壁面１に固定される角材であり、釘やビス等の止着材８によって壁面１に固定される（図１（ｂ）参照）。
【００２４】
取付部材７ｂは、扉６を取付ける上下に長尺なものであり、固定部材７ａとで平面視略Ｌ字状を形成するようにして、該固定部材７ａに接着剤等によって固定されている。また、この取付部材７ｂには、蝶番１０を介して扉６が開閉自在に取付けられるようになっている。この蝶番１０の一方の蝶番片１０ａが取付部材７ｂに取付けられている。この蝶番片１０ａは、図４および図５に示すように、軸部１０ｃを備えており、この軸部１０ｃは蝶番片１０ａの上下長さの約半分の長さを有している。このような軸部１０ｃを備えた蝶番片１０ａは、取付部材７の上端部と下端部にそれぞれ軸部１０ｃの先端を上に向けた状態でビス等によって固定されている。
一方、扉６の裏面側端部には、蝶番１０の他方の蝶番片１０ｂが取付けられている。この蝶番片１０ｂは、前記軸部１０ｃが回転自在に挿入される軸受筒部１０ｄを備えており、この軸受筒部１０ｄは蝶番片１０ｂの上下長さの約半分の長さを有している。このような軸受筒部１０ｄを備えた蝶番片１０ｂは、扉６の側端部の上端部と下端部にそれぞれ軸受筒部１０ｄを上下に向けた状態でビス等によって固定されている。
【００２５】
そして、前記扉取付部材固定工程では、図８に示すように、扉取付部材７を、その下端部が棚板取付工程によって取付けられた棚板２の上面に当接するようにして、左右の壁面１，１それぞれに止着材８によって固定する。
このように、扉取付部材７を、その下端部が棚板２の上面に当接するようにして、左右の壁面１，１それぞれに固定するので、扉取付部材７の上下方向の位置決めを容易かつ確実に行うことができる。
【００２６】
蝶番片１０ａを備えた扉取付部材７，７を左右の壁面１，１それぞれに固定することで、扉取付部材固定工程が終了したら、図１（ｃ）に示すように、扉取付工程に移行する。この扉取付工程では、左右の壁面１，１それぞれに固定された扉取付部材７，７に、扉６，６を開閉可能に取付ける。
この扉取付工程で、扉６を扉取付部材７に蝶番１０を介して取付けるには、図４〜図６に示すように、取付部材７に取付けられた一方の蝶番片１０ａの軸部１０ｃを、扉６に取付けられた他方の蝶番１０ｂの軸受筒部１０ｄに挿入するようにして、扉６を扉取付部材７に開閉可能に取付ける。具体的には、本例では、作業者が扉６を手で持って、その蝶番片１０ｂの軸受筒部１０ｄに、取付部材片７に取付けられた蝶番片１０ａの軸部１０ｃを挿入するようにして取付ける。
また、この扉取付工程では、扉６を、その下端部が棚板２より下方に位置するようにして扉取付部材７に取付ける。この場合、扉６の裏面下端部隅部には、図４に示すように、鉄板Ｔが取付けられているので、図８に示すように、この鉄板Ｔが棚板２の下面に取付けられているマグネットキャッチＭと対向するように、扉６の下端部を棚板２より下方に位置させる。
このように扉６を、その下端部が棚板２より下方に位置するようにして扉取付部材７に取付けるので、扉６を閉じた状態では、図７に示すように、この扉６によって棚板２の前端面が覆われるので、外観がシンプルなものとなる。
また、扉６の下端部が棚板２より下方に位置するので、扉６に取手を取付けなくても、扉６の下端部を把持して該扉を容易に開閉できる。さらに、棚板２に取付けたマグネットキャッチＭと、扉６に取付けた鉄板Ｔとが磁力によって吸引しあうので、扉６を閉じた状態に保持しておくことができる。
【００２７】
さらに、この扉取付工程では、図５に示すように、前記軸部１０ｃに調整筒１１を外挿して扉６の上下方向の位置を調整する。例えば、扉６の取付け位置を上方に調整したい場合、比較的長い調整筒を現場で長めに切断することによって調整し、一方、扉６の取付け位置を下方に調整したい場合、調整筒を現場で短めに切断することによって調整する。
このように、扉取付工程で、扉６を扉取付部材７に蝶番１０を介して取付けるに際し、一方の蝶番片１０ａの軸部１０ｃを他方の蝶番片１０ｂの軸受筒部１０ｄに挿入することによって、扉６を扉取付部材７に蝶番１０を介して取付けるとともに、軸部１０ｃに調整筒１１を外挿して扉６の上下方向の位置を調整するので、扉６の上下方向の位置を、棚板２の位置や、棚板２の上方に位置する壁面の位置等に合せて容易に調整できる。
なお、扉６，６は図７に示すように、左右一対あるので、それらの上下方向における位置も前記調整筒１１によって調整して、左右一対の扉６，６の上下方向の位置を合致させる。
【００２８】
このように、本実施の形態では、棚板取付工程では、互いに対向する左右の壁面１，１に、棚板２の左右両側部を取付け、扉取付部材固定工程では、左右の壁面１，１それぞれに、扉６，６を取付けるための上下に長尺な扉取付部材７，７を固定し、扉取付工程では、左右の壁面それぞれに固定された扉取付部材７，７に、扉６，６を開閉可能に取付けるので、戸棚が大きくなっても、棚板２、扉取付部材７、扉６をそれぞれ取付けるだけでよい。したがって、従来のように戸棚を所定の位置で仮支持しておき、その後、戸棚を壁に固定するなどといった作業が不要となるので、作業者に負担強いることなく、戸棚を容易に施工できる。
また、戸棚の施工の際には、棚板取付工程において棚板２の取付位置（上下や奥行き方向の取付位置）を容易に調整でき、扉取付部材固定工程において扉取付部材７の固定位置（上下や奥行き方向の固定位置）を容易に調整できるので、戸棚を施工する際の調整が容易であり、従来のように、戸棚の製造誤差や壁位置等の建築誤差によって、戸棚がきっちりと納まらないといった事態が生じることがない。
さらに、棚板２、扉取付部材７、扉６、蝶番１０といった４種類の部品で戸棚を施工できるので、部品点数が従来に比して少なくなる。
【図面の簡単な説明】
【００２９】
【図１】本発明の戸棚の施工方法の工程を示す平断面図であり、（ａ）は棚板取付工程を示し、（ｂ）は扉取付部材固定工程を示し、（ｃ）は扉取付工程を示す図である。
【図２】本発明の戸棚の施工方法で使用される棚板の分解斜視図である。
【図３】本発明の戸棚の施工方法で使用される棚板の斜視図である。
【図４】本発明の戸棚の施工方法で使用される扉取付部材と扉を示す斜視図である。
【図５】本発明の戸棚の施工方法で使用される蝶番を示す斜視図である。
【図６】本発明によって施工された戸棚の一例を示すものであり、要部の平断面図である。
【図７】同、正面図である。
【図８】同、側断面図である。
【符号の説明】
【００３０】
１  壁面
２  棚板
３  壁面
４  溝
５  受材
６  扉
７  扉取付部材
１０  蝶番
１０ａ  一方の蝶番片
１０ｂ  他方の蝶番片
１０ｃ  軸部
１０ｄ  軸受筒部
１１  調整筒
【図１】
2005127090.tif 000003
【図２】
2005127090.tif 000004
【図３】
2005127090.tif 000005
【図４】
2005127090.tif 000006
【図５】
2005127090.tif 000007
【図６】
2005127090.tif 000008
【図７】
2005127090.tif 000009
【図８】
2005127090.tif 000010